(57)【特許請求の範囲】
【請求項１】
支持体から吊下げる液吐出装置（１０；１１０）であって、
液を収容し、口（１９；１１９）とその口（１９；１１９）を封鎖する密封体（２０；１２０）を有するボトル（１８；１１８）と、
前記ボトル（１８；１１８）を保持する取付け構造体（６０；１６０）であって、前記取付け構造体（６０；１６０）が、
使用において、底面壁（３９；１８６）を持つ供給コンジット（３１；３１ａ；１３１）を構成する貫通支柱（２７；２７ａ；１２７）と、
ボトル（１８；１１８）の前記密封体（２０；１２０）を開き、前記供給コンジット（３１；３１ａ；１３１）を前記ボトル（１８；１１８）の口（１９；１１９）と液連通する手段（２９；１２９）と、
吐出プレート（４０；４０ａ；４０ｂ；４０ｃ；４０ｄ；４０ｅ；１４０）とを有する、取付け構造体（６０；１６０）と、
支持体から前記取付け構造体（６０；１６０）を吊り下げる懸垂手段（１２，２５；１１２，１２５）と、
を備えている液吐出装置（１０；１１０）であって、
吐出プレート（４０；４０ａ；４０ｂ；４０ｃ；４０ｄ；４０ｅ；１４０）が、使用において、前記供給コンジット（３１；３１ａ；１３１）と液連通し、かつ前記吐出プレート（４０；４０ａ；４０ｂ；４０ｃ；４０ｄ；４０ｅ；１４０）内の複数の供給導管（４８；４８ｂ；４８ｃ；４８ｄ；４８ｅ；１４８）と液連通する集合空洞（４４；４４ｂ；４４ｃ；４４ｄ；４４ｅ；１４４）を持つ上面（４２；４２ｇ；１４２）を有し、前記供給導管（４８；４８ｂ；４８ｃ；４８ｄ；４８ｅ；１４８）が液を前記集合空洞（４４；４４ｂ；４４ｃ；４４ｄ；４４ｅ；１４４）から、使用において、吐出プレート（４０；４０ａ；４０ｂ；４０ｃ；４０ｄ；４０ｅ；１４０）の上面（４２；４２ｇ；１４２）上にある吐出位置まで移送するのに適合し、前記吐出プレート（４０；４０ａ；４０ｂ；４０ｃ；４０ｄ；４０ｅ；１４０）が、使用において、水平から少なくとも５°の角度で下方に傾斜していることを特徴とする、液吐出装置（１０；１１０）。
【請求項２】
前記懸垂手段（１２，２５；１１２，１２５）が懸垂フック（１２；１１２）と、前記取付け構造体（６０，１６０）中の案内導管（２５；１２５）とを備え、前記懸垂フック（１２；１１２）が下端（１３；１１３）を有し、懸垂フック（１２；１１２）を前記案内流路（２５；１２５）内にスライドして挿入し、懸垂フック（１２；１１２）の前記下端（１３；１１３）を案内流路（２５；１２５）の内面に係合している、請求項１に記載の液吐出装置（１０；１１０）。
【発明の詳細な説明】
【０００１】
（関連出願の相互参照）
本出願は２０００年７月１２日出願の、Ｎｏ．０９／６１４，８７３の一部継続出願であり、その出願は、また、１９９９年１２月１４日出願の、Ｎｏ．０９／４６０，５７０の一部継続出願であある。
【０００２】
（連邦助成の研究に関する陳述）
適用外
【０００３】
（発明の背景）
本発明は液ディスペンサ、詳細には、便器のリムの下から、洗浄液および／または清浄液のような液量を吐出する装置に関する。
【０００４】
便器は、見苦しい堆積物の蓄積を防止し、臭気を減少し、細菌の増殖を防止するための注意が必要である。従来より、便器は、液または粉末の洗浄材および消毒材を用いて、手動洗浄により清潔に維持され、脱臭され、消毒されている。この仕事は、便器を清潔に維持するために人手による労力を必要とする。
【０００５】
手動洗浄をなくするために、各種の自動連続洗浄便器製品が提案されてきた。製品の１つのタイプは、洗浄および清浄物質の固体ブロックまたは固体粒子を備え、それが便器のリムから、噴出水の経路に置かれた容器内に吊り下げられているタイプである。米国特許３，５２９，３０９はこのタイプの便器洗浄システムの例を示す。固体洗浄ブロックは寿命が短く、固体ブロックが劣化するのに伴ない洗浄および脱臭剤の放出が低下する。
【０００６】
液体洗浄剤を使用する便器洗浄システムもまた、開発されてきた。例えば、欧州特許出願ＥＰ−０５３８９５７は、便器のリムから吊り下げできる便器洗浄および／または清浄ユニットを開示しており、前記ユニットの目的は、液体活性物質を噴射毎にボトルから噴射水中に導入することである。別の類似の液吐出便器洗浄システムは、欧州特許出願ＥＰ−０７８５３１５に開示されている。この出願では、ＥＰ−０５３８９５７で開示された装置の持つ１つの問題点は、吐出ボトルの液レベルが低下するのに伴ない、液の吐出割合が時間と共に減少することであるということを述べている。
【０００７】
ＥＰ−０７８５３１５に記載された吐出装置は、この問題点に対する提案される解決策として開発されたものであり、ボトルからの液流と、ボトルの外側からボトルの内側への戻りの空気流との両方を可能にする構造を有する吐出ボトルを備える。
【０００８】
ＥＰ−０７８５３１５に開示された吐出装置は、前述の固体ブロックの便器洗浄システムおよびＥＰ−０５３８９５７で開示された液吐出装置の代替品を備えるが、この代替品もまた欠点を有する。例えば、ＥＰ−０７８５３１５に記載の装置は、吐出ボトルに収容される洗浄液と常に連通し、便器の噴出水の経路中に配置される、多孔質の、液体吸収物体（すなわちスポンジ）を必要とする。このシステムは製造費用が非常に高く、噴出水中に吐出される液容量の精密な制御を実現できない。
【０００９】
したがって、液体の洗浄・消毒・脱臭物質を便器に吐出できる改良された装置の必要がある。
【００１０】
（発明の概要）
本発明の第１の態様では、特許請求の範囲の請求項１に定義される液吐出装置が提供される。
液の放出率は水平を基準とする吐出プレートの角度と、吐出される液の粘度と、噴出動作の強度により大幅に影響を受けることが、現在では判明している。噴出動作の強度に関するディスペンサ性能の依存性は、吐出プレートと水平との間の角度の適正な調節とともに、吐出される液の粘度の調整とにより低下させることができる。
【００１１】
好ましい形態では、液ディスペンサは液を便器のリムから吐出するのに適合する。この形態では、懸垂手段が、取付け構造体と一体化した懸垂フックと案内流路とを備える。懸垂フックは、便器のリム上に配置された上端フック部分と、案内流路にスライドして挿入される下端とを有し、懸垂フックの前記下端が案内流路の内面に連結し、それにより取付け構造体とボトルとを便器リムの下側またはリムに隣接して吊り下げるようになっている。この好ましい形態では、吐出プレートの上面は、ベースの供給コンジットと液連通し、かつ複数の供給流路と液連通する集合空洞を有し、また前記集合空洞と液連通する換気スロットおよびベース縁部を有する。換気スロットにより、周囲空気はボトルに入りボトルから吐出される液を置換する。この好ましい形態の吐出プレートは、吐出プレートの縁部に固定されるデフレクタ（偏向板）も備えることができる。デフレクタの寸法は、液ディスペンサが便器のリム上に設置されるとき、便器の内面に接触するのに適する寸法である。トイレの水が流されるとき、噴出水の一部が吐出プレートの上面の吐出位置に接触し、それにより液を噴出水中に押し流す。
【００１２】
本発明の第２の態様として、以下の便器のリムから液を吐出する装置が提供される。
好ましい実施形態では、取付け構造体はまた、貫通支柱の壁から外方向に延びる下側プレートを備える。吐出プレートは、取付け構造体の下側プレートから間隔を空けて、取付け構造体に一体化または取付けされており、吐出プレートの上面は供給コンジットからの液を受け取る。下側プレートおよび吐出プレートは、液を供給コンジットから吐出プレートの上面の吐出位置まで移送するのに適合する。
【００１３】
本発明の第２実施形態の好ましい形態では、液ディスペンサは液を便器のリムから吐出するのに適合する。この形態では、懸垂手段がベースと一体化した懸垂フックおよび案内流路を備える。懸垂フックは、便器のリム上に配置された上端フック部分と、案内流路にスライドして挿入される下端とを有し、懸垂フックの前記下端が案内流路の内面に連結し、それによりベースとボトルとを便器リムの下側またはリムに隣接して吊り下げるようになっている。この好ましい形態では、吐出プレートは、液ディスペンサが便器のリム上に設置されるとき、便器の内面に対し上方に傾斜するのに適合し、また下側プレートもまた液ディスペンサが便器のリム上に設置されるとき、便器の内面に対し上方に傾斜するのに適合している。吐出プレートの上面とベースの下側プレートとの間の間隔は吐出プレートの長さ方向に沿って変化し、それにより、便器の内面に最も近い下側プレートの縁部と便器の内面に最も近い吐出プレートの縁部との間の第１間隔が、便器の内面から最も遠い下側プレートの縁部と便器の内面から最も遠い吐出プレートの縁部との間の第２間隔に比べて狭くなっている。吐出プレートは、吐出プレートの縁部に固定されるデフレクタも備えることができる。デフレクタの寸法は、液ディスペンサが便器のリム上に設置されるとき、便器の内面に接触するのに適する寸法である。トイレの水が流されるとき、噴出水の一部が吐出プレートの上面の吐出位置に接触し、それにより液を噴出水中に洗い流す。
【００１４】
本発明の両方の実施形態では、ベースは、ボトルの口が下方向に突出する逆位置の状態で支持するようにボトルを保持し、その結果、液を重力によりボトルから吐出できる。好ましくは、ボトルは浅く、小型にして、ボトルの上部空間を最小にする。ボトルを液で充満するとき、負圧または真空（すなわち平衡圧）がボトルの上部空間に発生する。ベース上にボトルを設置した後、ボトルからの液の一部が吐出プレートの吐出位置上に流れる。噴出水が吐出プレートの吐出位置から液を洗い流すと、別の液がボトルから吐出され、周囲空気がボトルに流れ込み、ボトルから吐出された液を置換する。ボトルに流れ込む周囲空気の容量は、吐出プレート上のまたはそれに隣接する、換気スロットまたはコンジットにより制御できる。この方法では、周囲空気は計器のように作用し、各噴出後にボトル内の圧力が平衡圧に戻ることを保証することにより、線形の、一定液放出配合を可能にする。
【００１５】
本発明は、スポンジまたは同様な多孔性吸収材料が液の流路内に配置され、反転されているボトルから液が急速に流れ出すことを防いでいる、ＥＰ−０５３８９５７およびＥＰ−０７８５３１５のような、従来の液吐出装置に比べて大幅な改良を実現している。上に詳しく述べたように、これら従来の液吐出装置の多孔性材料は、多孔性媒体の製造上の変動性により、噴出水中に吐出される液容量の精密な制御が不可能である。
【００１６】
本発明の利点は、液リザーバから吐出プレート上の吐出位置まで制御された一定方法で液を移送する、液吐出装置を提供することである。さらに詳細には、本発明の利点は、便器のリムから液を吐出して、制御された一定の液量を各噴出中に吐出する吐出装置を提供することである。
【００１７】
本発明のこれらおよびその他の特徴、態様、および利点は、以下の詳細な説明、添付特許請求の範囲、および添付図面を考察することにより、さらによく理解されるであろう。
【００１８】
（好ましい実施形態の詳細な説明）
最初に図１〜９を説明する。便器のリムから液を吐出する液ディスペンサ１０を示している。液ディスペンサ１０は、液を収容するボトル１８と、ボトル１８を保持するベース２４と、便器のリムからベース２４およびボトル１８を吊り下げる懸垂フック１２とを備える。
【００１９】
製造を容易にするため、懸垂フック１２、ボトル１８、およびベース２４は、図７に示すように別個のコンポーネントとしても形成できる。種々の材料を使用して懸垂フック１２、ボトル１８、およびベース２４を形成できるが、これらコンポーネントは不透明の熱可塑性材料、例えば着色したポリエチレンまたはポリプロピレンなどの材料から形成するのが望ましい。ディスペンサに使用される液は、特定の便器洗浄用途に必要な洗浄・発泡・消毒・芳香特性を有する任意の液配合でよい。
【００２０】
図５に示すボトル１８の好ましい形態では、ボトル１８は、他の不透明ボトル１８の部分上を垂直に延びる澄んだ、または透明なビュー・ストライプ（目視用窓）２３を備える。透明なビュー・ストライプ２３により、ユーザはボトル１８内の液の残留レベルを知ることができる。１つの好ましい実施形態では、ボトル１８は約４５ミリリットルの液配合で充填され、その後ディスペンサがリム上にフックで取付けられる。
【００２１】
ベース２４は、直立部材２６の縦に延びる案内流路２５を有する、一体型の細長い直立部材２６を備える。懸垂フック１２は、ベース２４とボトル１８とが便器リム上に設置されるとき、案内流路２５内に挿入される。懸垂フック１２の下端１３は、案内流路２５内に懸垂フック１２を挿入する際、案内流路２５の内面に圧入機構で嵌合するタブ部分１４を備え、それにより、懸垂フック１２がベース２４に取付けして保持されるようにする。案内流路２５の伸縮機構と懸垂フック１２とにより、液ディスペンサ１０は多様な便器リム構造に適合できることがわかる。
【００２２】
ベース２４はまた、上端３２で終端する背面壁３６を備える。背面壁３６および上端３２は、ボトル１８をベース２４上に設置するときに、ボトル１８を保持する取付け構造体６０を形成する。取付け構造体６０中心部分には、図７に示すように、貫通支柱２７を囲む環状流路３７を備え、その流路を使用して、液吐出装置１０を便器リム上に設置したときに、ボトル１８から液を移送する。
【００２３】
図９により、ボトル１８のベース２４上への設置を詳細に示す。ベース２４の貫通支柱２７は、供給コンジット３１を形成する円筒形チューブ部分２８を備える。チューブ部分２８の上端２９は傾斜して終端し、楕円開口を形成する。
【００２４】
ボトル１８は、輸送および保管のためにボトル１８内の液を封入する密封体２０で封じられる円形口１９を含む。図９に示すボトルの実施形態では、密封体２０は、ボトル１８の口１９の円形フランジに連結する流路を持つ熱可塑性材のキャップである。フォイルまたはプラスティック膜などの他の密封体も、ボトル１８の口１９を密封するのに適合する。図９に示す密封体２０の中心部分は、厚みの薄い円形領域２２を持つ破砕しやすい密封部２１を有する。設置において、ボトル１８はベース２４の貫通支柱２７上を、密封体２０の円形内壁が貫通支柱２７の円形外面にほぼ一直線になるように方向合わせされ、貫通支柱２７の上端２９が破砕しやすい密封部２１の円形領域２２に破裂が生じるまで、ボトルはＡ方向に移動される。この後、ベースの供給コンジット３１はボトル１８の口１９と液連通し、液がボトル１８から供給コンジット３１を通って流れ、重力によって貫通支柱２７の底の吐出穴３８から流れ出ることができる。貫通支柱２７、密封体２０、ボトル１８の口１９の寸法を適正な寸法にすることにより、ボトルをベース２４上に設置するときに、液密封が形成される。
【００２５】
ベース２４の底面には、噴出液中への液配分を配給するのに役立つ吐出プレート４０がある。吐出プレート４０は、ベースに取付ける別個のコンポーネントでもよく、またはベース２４と一致化してもよい。吐出プレート４０は着色されたポリエチレンまたはポリプロピレンなどの非多孔質熱可塑性材料から形成されるのが望ましい。
【００２６】
図８、１０Ａ、１０Ｂ、１０Ｃ、１１Ａは吐出プレート４０およびそれのベース２４上の位置の第１実施形態の構成を示す。最初に図１１Ａによれば、吐出プレート４０は、ベース２４の縁部４３から内側方向の位置にある上面４２に形成された、集合空洞４４から放射状に出る一連の毛細管４８を持つ上面４２を有する。毛細管４８は種々の横断面形状を持ってもよく、好ましくは、四角形、長方形、または三角形横断面形状である。
【００２７】
図１０Ａ、１０Ｂ、１０Ｃによれば、毛細管４８の深さも種々の形状で構成できる。図１０Ａでは、毛細管４８の下面４９は、集合空洞４４から毛細管４８の外側端部５０までの集合空洞４４の下面５２と共面であり、それにより毛細管４８の深さが集合空洞４４の深さにほぼ等しくなる。図１０Ｂでは、毛細管４８の下面４９ｂは、集合空洞４４下面５２から毛細管４８の外側端部５０まで、階段状に後退している。図１０Ｃでは、毛細管４８の下面４９ｃは、集合空洞４４から毛細管４８の外側端部５０までの集合空洞４４の下面５２の下に位置し、それにより毛細管４８の深さが集合空洞４４の深さより長くなる。
【００２８】
毛細管４８の別の深さ構成も可能である。例えば毛細管４８の下面４９は集合空洞４４の下面５２に対しそれの外側端５０の方向に下方に傾斜してもよい。毛細管のこれら深さの構成の各々は、本明細書で以下に述べるように、便器への液配給の制御に役立てることができる。
【００２９】
図１１Ａ、１１Ｂ、１１Ｃ、１１Ｄ、１１Ｅによれば、吐出プレート４０の上面４２での毛細管４８および集合空洞の種々の配置が可能であることが分かる。図１１Ａでは、集合空洞４４は、吐出プレート４０の長軸方向にほぼ平行に向いている長円形形状を有し、毛細管４８は長円形集合空洞４４の１つの側面から外方向に放射状に出ている。図１１Ｂでは、集合空洞４４ｂは、その長軸が吐出プレート４０ｂの長軸方向にほぼ平行に向けられた三日月形状を有し、毛細管４８ｂは三日月形集合空洞４４ｂの１つの側面から外方向に放射状に出ている。図１１Ｃでは、集合空洞４４ｃは、その長軸が吐出プレート４０ｃの長軸方向にほぼ平行に向けられた長円形形状を有し、毛細管４８ｃは長円形集合空洞４４ｃの１つの側面から外方向に放射状に出ており、それら毛細管４８ｃは長円形集合空洞４４ｃから離れるに伴ない幅が増加する。
【００３０】
図１１Ｄによれば、集合空洞４４ｄは、その長軸が吐出プレート４０ｄの長軸方向にほぼ直角に向けられた長円形形状を有し、毛細管４８ｄは長円形集合空洞４４ｄの両側面から外方向に放射状に出ており、それにより毛細管４８ｄの少なくともいくつかの主部分が吐出プレート４０ｄの長軸方向にほぼ平行になっている。図１１Ｅでは、集合空洞４４ｅは、その長軸が吐出プレート４０ｅの長軸方向にほぼ平行に向けられた長円形形状を有し、毛細管４８ｅは長円形集合空洞４４ｅの１つの側面から外方向にランダム形状で放射状に出ている。
【００３１】
図８に戻ると、図はベース２４の別の構造に対する吐出プレート４０の配置を最も良く示している。吐出プレート４０はベースに取付けられ（別個の工程またはベース成形の一部のどちらであっても）、それにより吐出プレート４０の集合空洞４４はベース２４の供給コンジット３１に液連通する。図８に示す本発明の実施形態では、貫通支柱２７の底面の吐出穴３８を使用して、供給コンジット３１と吐出プレート４０の集合空洞４４との間に流路を設ける。この構成の結果として、液はボトル１８から出て、ベース２４の供給コンジット３１に入り、吐出穴３８を通過して吐出プレート４０の集合空洞４４に流れ込む。次に液は吐出プレート４０の集合空洞４４から吐出プレート４０の上面４２の毛細管４８に流れ込む。その後液は毛細管４８の外側端５０方向に移動し続け、そこで液は便器に吐出されるが、これに付いては本明細書で以下に述べる。種々の手段を使用して、液を吐出プレート４０の集合空洞４４から毛細管４８内に移送できる。第１に、液の毛細管４８の側面への粘着性により発生する毛管現象は、液を毛細管４８の外側端５０方向に移送するように作用する。第２に、図１０Ｂおよび１０Ｃに示し、さらに以下に述べるように、毛細管４８の深さを集合空洞４４の深さに比べて大きくできる。これは、液を集合空洞４４から毛細管４８の外側端５０方向に移送するのに役立つ。
【００３２】
第３に、吐出プレート４０を下方に傾斜させ、集合空洞４４を毛細管４８より高くすることができる。例えば、図８に示すように、吐出プレート４０は、水平ラインＨに対し角度Ｘで下方に傾斜している。吐出プレート４０のこの構成では、集合空洞４４は毛細管４８より高くなり、液は集合空洞４４から毛細管４８方向に向かい下方に流れる。吐出プレート４０とベース２４とを、角度Ｘが約１０〜３０°になるように構成することにより、向上した液流特性が得られることが判明している。吐出プレートの下方角度はまた、動作中の、ボトル１８への水の吸い上げを最小にするのに役立つ。当然、集合空洞４４から毛細管４８への液流を制御するこれらの方法の各々は、単独、または他の有効な方法と結合させて使用できる。
【００３３】
ディスペンサの最適構成の研究において、動作の実際のメカニズムが詳細に研究された。発明者らは学説に拘束されることを望まず、ディスペンサは空気−液体交換メカニズムの原理で動作すると信じている。装置が最初に起動されるとき、リザーバ内に存在し、使われている液は主として、重力および毛細管現象による力の合成された影響を受け、毛細管内に流れ込む。この結果、リザーバ内の液の上の上部空間に真空が発生する。この真空は、液をリザーバから引き出す重力および毛細管現象による力に対抗するものであり、したがって、放出率の減少を引き起こし、この状態は真空が十分な大きさに達して、放出が完全に停止するまで続く。この点以降、レザーバからの液の放出は、多少の空気が上部空間に入り真空レベルを低下させる場合にだけ、発生するかもしれない。水がリザーバに入る場合、それが使われている生成液の希釈を引き起こすが、そのレベルの低下は発生しない。しかし、噴出の間に、空気と水の混合がリザーバに入り、多少の希釈および生成液のレベルの低下を引き起こす。噴出中に、リザーバに入る空気と水の相対割合は、生成液の希釈の程度とそれのレベル低下を決定する。理想的には、噴出中に、空気だけがリザーバに入ることである。前述の力により発生する流れに加えて、リザーバからの液の流れに他の要素、例えば毛細管内の液表面の表面張力の傾斜、表面活性剤の拡散、色素およびが液中に存在する他のコンポーネントなどの要素が入る。このような後者の要素は一般にリザーバ内の液レベルを低下させない。したがって、リザーバ上部空間への空気の流入は必要条件である。
【００３４】
いくつかのパラメータ、例えば吐出プレート４０の水平に対する角度、吐出される液の粘度、噴出動作の強度、および毛細管プレート上の毛細管の役割などのパラメータが試験された。これらパラメータは機器を使用して試験され、その結果、ディスペンサ内の液の重量損失が噴出数の関数（すなわち、放出率）として測定でき、吐出プレートの水平に対する角度を０〜３０°に変化でき、吐出される液の粘度が２０００〜４０００センチポアズに変化でき、噴出当り５０または２５０ｍｌどちらの水を使用しても、毛細管の有る場合または無い場合のどちらの吐出プレートも使用できる。
【００３５】
噴出の強度に関しては、噴出強度は実生活での便器のリムの下の位置により変化することに注意すべきである。予測されるように、リザーバ内の液の放出率は噴出強度と共に増加する。つまり、水２５０ｍｌを噴出するときの放出率は、水５０ｍｌを噴出するときの放出率より多い。噴出強度を増加すると、通常、毛細管プレートとリザーバの出口穴との間の領域の擾乱の程度が増加する。この増加した擾乱により、噴出中の、リザーバに入る水に対する空気の割合が増加する。これの実際の影響は、前述のように、放出率の増加を招く。擾乱の発生に加えて、噴出動作はまた、ディスペンサの機械振動を発生し、その振動が空気／液メニスカス不安定性またはリザーバの出口穴での相互作用を生じる。不安定性が増大するほど、空気気泡が上部空間に入り易くなる。しかし、放出率の差の大きさは別の要素、例えば吐出プレートの角度および液の粘度のような要素に依存する。
【００３６】
毛細管プレートの水平からの角度の研究において、毛細管プレートとリザーバの軸との角度は一定に維持し、観察されるすべての変化の発生要因を分離するようにした。放射率に関する毛細管プレートの角度の影響は、きわめて明白である。毛細管プレートと水平との間の角度０°での、水の噴出率５０および２５０ｍｌの両方での状態では、１１２回の噴出後、リザーバからほとんど液は除去されなかった。つまり、５０または２５０ｍｌのどちらも、角度０°での状態においては、１１２回の噴出完了後、液の約９５％がリザーバ内に残った。しかし、角度を３０°に変化させると、噴出当り５０ｍｌの水の１１２回の噴出後、液の２０％だけがリザーバ内に残り、２５０ｍｌの水の８０回の噴出後、液の２０％だけがリザーバ内に残った。したがって、吐出プレートと水平との間の角度は約５°より大きく、好ましくは約１０〜３０°、さらに好ましくは約２０〜３０°にすべきである。吐出プレートと水平との間の角度変化に応じて発生するこの差の理由は、角度が増加すると、リザーバの出口穴で形成される垂滴のメニスカスが、軸対称から離れるためである。離れる度合いが増加すると、メニスカスの状態が、リザーバ内の液に対して、出口穴の一方側で下方に凹面になり、他方側で上方向に凸面になる状態が発生する。これにより、噴出の間に発生する振動および擾乱により、空気気泡が上部空間に入り易くなる。実際、角度が臨界値を超えると、液は連続的に流出し、一方、出口穴の他方側には連続的な空気が認められる。この臨界角度の値は、出口穴のサイズ・液の表面張力・液とリザーバの硬質面との接触角度などの要素に依存する。
【００３７】
リザーバ内の液のレオロジ（流動学）もまた、装置の性能に影響する複数のパラメータに影響を与える。液の粘度は、所定の正の全体駆動力に対し、液の放出における大きな抵抗を発生する。液の粘度および弾性特性は、所定のプレート角度に対し、噴出動作またはリザーバの上部空間内の十分な真空の発生のどちらかによる空気／液メニスカスの不安定性の増加割合に影響を与える。したがって、粘度および弾性特性は、空気気泡が移動して上部空間内に達するどうかを決定し、移動して達する場合は、前記特性は気泡が移動する速度を決定する。液が大きい降伏強度を有する場合、空気気泡は上方に移動して上部空間に達することができないこともあり得る。ディスペンサで使用される液生成物の弾性特性、例えば降伏強度を測定しない場合には、粘度は２０００〜４０００センチポアズで変化して、２つの異なるプレート角度（１５および３０°）の装置からの放出率を決定することになる。リザーバ液の粘度および角度の４つの組合わせの各々に対し、１００回の噴出を使用した。１００回の噴出の完了後、テストの各々に対しリザーバ内に残った液のパーセンテージを測定した。１０°で吐出された３５００センチポアズの液は約９４．５％が残り、１０°で吐出された２０００センチポアズの液は約９１％が残り、２０°で吐出された３５００センチポアズの液は約８２．５％が残り、２０°で吐出された２０００センチポアズの液は約８０．５％が残った。したがって、液の粘度は吐出割合に対し一定の影響を持ち、低粘度液は急速に吐出されることが判明し、また吐出プレートと水平との角度が大きくなると、急速な吐出を引き起こすことも判明した。吐出される液に対し、最大１０，０００センチポアズの粘度が許容されるが、液の粘度は、約１０００より高い、好ましくは２０００より高い、さらに好ましくは約２０００から４０００が望ましい。
【００３８】
放出率に関する吐出プレートの毛細管の役割もまた検討された。毛細管のある場合と、無い場合の両方のプレートを使用して試験を実行し、２つの異なる角度（１５°および３０°）、２つの異なる粘度（２０００および４０００センチポアズ）における装置からの放出率を測定した。毛細管は放出率に関して、特に低粘度と大きいプレート角度において、有利な影響を有することが判明した。
【００３９】
前述の、液をボトル１８から吐出プレート４０の上面４２の位置まで移送する手段は、液吐出装置１０の使用を図１２および１３を引用しても説明できる。図１２は、開放型リムを持つ便器１６Ｂに使用するときの、液吐出装置１０の構成を示す。便器１６Ｂのリムから吊り下げられた液吐出装置１０において、噴出水Ｗの流れが各噴出により吐出プレート４０に接触することが分かる。図１３は、ボックス型リムを持つ便器１６Ａに使用するときの、液吐出装置１０の構成を示す。便器１６Ａのリムから吊り下げられた液吐出装置１０において、噴出水Ｗの流れがまた各噴出により吐出プレート４０に接触することが分かる。噴出水が図１２と１３の吐出プレート４０に接触するとき、噴出水は吐出プレート４０の上面４２の毛細管４８内に存在する液と混合し、その後便器内に配給される。
【００４０】
噴出水が液を吐出プレート４０の吐出位置から便器水中に洗い流した後、前述のように、液の新たな供給がボトル１８から毛細管４８に配給される。液が噴出水中に吐出されるときに、空気がボトル１８内へと通気できるようにするために、吐出プレート４０の上面４２に換気スロット４６が設けられている（図８、１０Ａ、１１Ａで明瞭に示される）。換気スロット４６は集合空洞４４とベース２４の縁部４３との間に流路を提供する。この流路により、周囲空気がボトル１８に入り、そこから吐出される液と置換する。
【００４１】
次に図１４では、液配合の便器水中への配給を制御するのに役立つ、液ディスペンサ１０のオプション形態を示す。具体的には、デフレクタ５５が吐出プレート４０の縁部に取付けられており、液配合の便器水中への配給を正確に制御する。デフレクタ５５により、液ディスペンサ１０は、市場の多数の便器の多種多様な便器外形に適合できる。デフレクタ５５の１つの形態では、デフレクタ５５は軟質材料で形成され、軟質膜として作用し、便器内面の形状に一致して、便器からの便器噴出水が分布プレート４０全体に経路分けでき、さらに確実に液配合が各噴出で便器中を洗い流される。デフレクタ５５のこの形態は複合射出成形方法により形成でき、この場合、異なる熱可塑性材料、軟質デフレクタ用の軟質ワイパ材料と吐出プレート用の硬質材料とが一緒に成形される。デフレクタの別の実施形態では、デフレクタは、便器の内面の形状に一致するように、吐出プレートの縁部に蝶番式に取付けられる。デフレクタのさらに別の実施形態では、デフレクタと吐出プレートとの構成は、吐出プレートが、デフレクタに連結し、デフレクタを吐出プレートの方向およびそれから離れる方向にスライド可能にする案内スロットを備え、それによりデフレクタが、便器の内面の形状に一致するように構成されている。
【００４２】
図１５および１５Ａは液ディスペンサの貫通支柱の代替構成を示す。この実施形態では、貫通支柱２７ａは中心換気コンジット２８ａと、中心換気コンジット２８ａから外方向に延びるフィン３０とを有する。中心換気コンジット２８ａとフィン３０とは、供給コンジット３１ａを構成する。貫通支柱２７ａの中心換気コンジット２８ａの上端２９ａを使用して、破砕しやすい密封２１の円形領域２２を破裂させて、ボトルの密封体２０を開く。この後、供給コンジット３１ａはボトル１８の口１９と液連通し、液がボトル１８から供給コンジット３１ａを通って、吐出プレート４０の上面４２上に流れ出ることができる。貫通支柱２７ａのこの実施形態では、液が噴射水中に吐出されるとき、空気は吐出プレートの穴３５と中心換気コンジット２８ａを通りボトル１８内に通気される。
【００４３】
図１６には、便器リムから液を吐出する液ディスペンサ１０Ａの別の実施形態を示す。本発明のこの実施形態では、変更されたベース２４ａを使用してボトル１８を保持する。ベース２４ａは、前述の図１〜９に示したベース２４と基本的に同一形態である。しかし、吐出穴３８ａをベース２４ａの貫通支柱２７の底面に中心部分に設けており、ベース２４ａは貫通支柱２７の壁から外方向に延びる下側プレート３４を備える。下側プレート３４の下面はまた、液を吐出穴３８ａから下側プレート３４の縁部へと導くのに役立つ流れ溝３９を備える。液ディスペンサ１０Ａはまた、下側プレート３４と間隔を空けた状態で、ベース２４ａに一体化されるかまたはベース２４ａの取付けられる吐出プレート４０ａを備える。この構成では、吐出プレート４０ａの上面４２ｇは吐出穴３８ａを通る供給コンジット３１からの液を受け入れる。液ディスペンサ１０Ａの構成は、吐出プレート４０ａの上面４２ｇとベース２４ａの下側プレート３４との間の間隔が吐出プレート４０ａの長さ方向に沿って変化するように構成されている。図１６は、距離Ｄ１が吐出プレート４０ａとベース２４ａの下側プレート３４との間の距離Ｄ２より大きいことを示している。
【００４４】
図１６の液ディスペンサ１０Ａが便器リム上に設置されるとき、便器の内面に最も近い吐出プレート４０ａの縁部と、便器の内面に最も近い下側プレート３４の縁部とが、最も近接する。これは図１６の距離Ｄ３で示される。吐出プレート４０ａおよび下側プレート３４は便器内面から離れる方向に移動するにしたがい、吐出プレート４０ａと下側プレート３４との間の間隔は広がる。便器の内面から最も遠い吐出プレート４０ａの縁部と便器の内面から最も遠い下側プレート３４の縁部とにおいて、換気間隔５８が吐出プレート４０ａと下側プレート３４間に形成され、液が噴射水中に吐出されるとき、空気は換気コンジット３１を通りボトル１８内に通気される。
【００４５】
吐出プレート４０ａと下側プレート３４とは下方に傾斜するようにされ、液配合が吐出プレート４０ａと下側プレート３４上に蓄積され、そこで最も近接する。したがって、液ディスペンサが便器のリム上に設置されるとき、下側プレート３４は便器の内面に対し傾斜している。図１６はこれを示し、図では下側プレート３４が水平ラインＨに対し角度Ｙで下方に傾斜している。また、液ディスペンサが便器のリム上に設置されるとき、吐出プレート４０ａは便器の内面に対し傾斜している。吐出プレート４０ａと下側プレート３４とを、角度Ｙが約１０〜３０°になるように構成することにより、向上した液流特性が得られることが判明している。さらに、吐出プレート４０ａ、下側プレート３４の便器内面に対する傾斜関係により、水の吸い上げが最小になる。軟質デフレクタ５５ａを吐出プレート４０ａの縁部に取付けることにより、前述のように、液配合の便器水中への配給を正確に制御できる。
【００４６】
吐出プレート４０ａと下側プレート３４との間隔は、ボトル１８に使用する液の種類に依存して変化する。具体的には、液の粘度と液の表面張力が、吐出プレート４０ａと下側プレート３４の長さ方向に沿う各点での、吐出プレート４０ａと下側プレート３４との間の望ましい間隔を正確に決定するための重要な要素である。吐出プレート４０ａと下側プレート３４との間隔を、液の粘度および表面張力の値に応じて配置することにより、吐出プレート４０ａの縁部への液の流れを制御でき、したがって、各噴出で吐出される液量を制御できる。
【００４７】
次に図１７〜２８には、便器のリムから液を吐出するさらに別の液ディスペンサ１１０を示す。液ディスペンサ１１０は液を収容するボトル１１８と、ベース１２４と、ベース１２４に取付けてボトル１１８を保持する取付け構造体１６０を構成するインサート１９３と、便器のリムから取付け構造体１６０およびボトル１１８を吊下げる懸垂フック１１２とを含む。製造を容易にするため、懸垂フック１１２、ボトル１１８、インサート１９３、およびベース１２４は、図２３に示すように、別個のコンポーネントとして形成できる。種々の材料を使用して懸垂フック１１２、ボトル１１８、インサート１９３、およびベース１２４を形成できるが、これらコンポーネントは不透明の熱可塑性材料、例えば着色したポリエチレンまたはポロプロピレンなどの材料から形成するのが望ましい。ディスペンサに使用される液は、特定の便器洗浄用途に必要な洗浄・発泡・消毒・芳香特性を有する任意の液配合でよい。
【００４８】
図２１および２２に示すボトル１１８の好ましい形態では、ボトルは、他の不透明ボトル１１８の部分上を垂直に延びる無色または透明なビュー・ストライプ１２３を備える。透明なビュー・ストライプにより、ユーザはボトル１１８内の液の残留レベルを知ることができる。ボトル１１８の幅に関する透明ビュー・ストライプの特定位置および正確な寸法はそれほど厳密ではなく、ユーザがボトルの内容物を容易に見られるだけでよい。本発明の１つの好ましい実施形態では、ボトル１１８は約４５ミリリットルの液配合で充填され、その後ディススペンサが便器のリムにフックで取付けられて使用される。
【００４９】
インサート１９３とベース１２４とは一体に組み合され、ボトル１１８の取付け構造体１６０を形成する。図２３に示すように、円筒形壁１８０がインサート１２３の下端から外方向に突出しており、それにより貫通支柱１２７を囲む環状流路１３７を形成し、その支柱の内側に供給流路１３１を構成し、それを使用して、液吐出装置１１０を便器リム上に設置したときに、ボトル１１８から液を導く。円筒形壁すなわち環状流路壁１８０は、環状流路１３７外壁であり、貫通支柱１２７が前記ボトルの口の内面に連結するのと同様に、前記ボトルを貫通支柱１２７に連結するときボトル１１８の口の外面に連結する。これにより、貫通支柱とボトルの口との間の連結漏れを防止する。インサート１９３の環状流路壁１８０は、直径方向の反対側の外側に突出するタブ１８２と、柔軟な連結手段１８３とを備える。この連結手段１８３は、ベース１２４を正確にかつ強固に位置決定し、ベースに対しボトルを正しい位置に固定し、その一方で、ディスペンサのコンポーネントの組立を容易にする。図２４〜２７はインサート１９３の詳細を示し、図では貫通支柱１２７が底面または下壁面１８６で終端する供給コンジット１３１を構成している。図２４〜２７に示すように、下壁面１８６は円筒形コンジット１３１の底面を形成し、この吐出穴１３８を有する。好ましくは、前記吐出穴１３８は円形であるが、図２７ａに示す吐出穴１３８ａのように長円形にもできる。下壁面１８６はまた、上方に延び、貫通支柱１２７の上端１２９より上に突出する突起１８４を備える。さらに下壁面１８６は、立ち上がり１８７を備え、これは供給コンジットの下壁面１８６を吐出プレート１４０の上面１４２から分離するのに役立つ。
【００５０】
インサート１９３とベース１２４とは、次のようにして一体に組み合わさっている。図２３に示すように、ベース１２４はインサート１９３を収納する一体型の細長い直立部材１２６を備える。インサート１９３は、外側に突出し、好ましくは円筒形壁１８０の直径の反対側にある両タブ１８２が、ベース１２４から上方に突出する取付けクリップ１７８の下に位置しこれに係合、連結するまで、直立部材１２６内を下方に移動する（図２６）。同時にタブ１８３はベース１２４に連結し、支持固定の強度を増す。同時に、直立部材１２６の縦に延びる案内流路１２５が、インサート１９３と直立部材１２６と間に形成され、ベース１２４とボトル１１８とを便器リム上に設置するとき、その流路中に懸垂フック１１２が挿入される。懸垂フック１１２の下端１１３は、案内流路１２５内に懸垂フック１１２を挿入する際、案内流路１２５の内面に圧入機構で嵌合するタブ部分１１４を備え、それにより、図２５および２５に示すように、懸垂フック１１２がベース２４に取付けて保持されるようにする。案内流路１２５の伸縮機構と懸垂フック１１２とにより、液ディスペンサは多様な便器リム構造に適合できる。図２３では、ベース１２４はまた、上端１３２で終端する背面壁１３６を備え、ボトルをベース１２４上に設置するときに、ボトル１１８を保持する取付け構造体１６０の部分を形成する。
【００５１】
図２５には、取付け構造体１６０上にボトル１１８を設置している状態を詳細に示す。インサート１９３の貫通支柱１２７は、供給コンジット１３１を形成する円筒チューブ部分１２８を備える。チューブ部分１２８の上端１２９は傾斜して終端し楕円形口を形成する。
【００５２】
ボトル１１８は、使用するまで、輸送および保管のためにボトル１１８内の液を封入する密封体１２０で封じられる円形口１１９を含む。図２５に示すボトルの実施形態では、密封体は、ボトル１１８の口１１９の円形フランジに連結する流路を持つ熱可塑性材のキャップである。フォイルまたはプラスティック膜などの他の密封体も、ボトルの口を密封するのに適合する。図２５に示す密封体１２０の中心部分は、厚みの薄い円形領域１２２を持つ破砕しやすい密封部１２１を有する。設置において、ボトル１１８は貫通支柱１２７の上部に、密封体１２０の円形内壁が貫通支柱１２７の円形外面にほぼ揃うように方向合わせされ、貫通支柱１２７の上端が破砕しやすい密封部１２１の円形領域１２２に破裂が生じるまで、ボトルはＡ方向、ベース１２４方向に移動される。インサート１９３の下壁面１８６上の、上方に延びる突起１８４は、破砕しやすい密封部１２１を貫通支柱１２７の上端１２９から離して維持するのに役立ち、破砕しやすい密封部が供給コンジット１３１の楕円口を再密封するのを防止する一方で、液がボトル１１８の口１１９から流れ、供給コンジット１３１を通り、底面または下壁面１８６の吐出穴１３８から出る。同時に、ボトル１１８の口１１９が貫通支柱１２７の壁１８０と円筒チューブ部分１２８間に形成された環状流路１３７内に挿入される。貫通支柱１２７、密封体１２０、ボトル１１８の口の寸法を適正な寸法にすることにより、ボトルをベース１２４上に設置するときに、液密封が形成される。
【００５３】
図１７〜２８では、ベース１２４の底面には、噴出液中への液配分を配給するのに役立つ吐出プレート１４０がある。吐出プレート１４０は、ベースに取付ける別個のコンポーネントでもよく、または図のようにベース１２４と一致化してもよい。吐出プレート１４０は着色されたポリエチレンまたはポリプロピレンなどの非多孔質熱可塑性材料から形成されるのが望ましい。
【００５４】
図２８は吐出プレート１４０の構成を示す。吐出プレート１４０は、ベース１２４の縁部１４３から内側方向に間隔を空けた位置で吐出プレートの上面１４２に形成された、集合空洞１４４から外方向に放射状に出る一連の毛細管１４８を持つ上面１４２の周辺にリム１６６を有する。毛細管１４８は、図２９ａ〜２９ｆに示すような、種々の横断面形状にできる。
【００５５】
図２９ａ〜２９ｆでは、毛細管１４８は、例えば図２９ａおよび２９ｃ〜２９ｆの角Ａ1、ならびに図２９ｂの角Ａ2のような、側壁間で種々の先端角を形成する傾斜側壁１７７を有することができる。毛細管はまた、図２９ｂ〜２９ｆのＤ1、および図２９ａのＤ2のような種々の深さを持つこともできる。このような各毛細管の中心は、図２９ｃの突起１７９ａのような、吐出プレート１４０の上面１４２まで延び、半径Ｒ1の丸い上面で終端する突起、または図２９ｄの突起１７９ｂのような、吐出プレート１４０の上面１４２より上に高さＨ1まで延びる突起のような、上方に延びる突起を備えることができる。毛細管の下部分はまた、図２９ｅに示す半径Ｒ2の丸い下面で終端できる。図２９ａ〜２９ｆの毛細管構成の各々を吐出プレート１４０に使用し、特定液洗浄液配給特性、すなわち粘度、厚み、表面張力を持つ吐出装置を製造できる。代替実施形態では、毛管プレートは凹んだ空洞を備え、その中に焼結多孔質プラスティック・パッドを置いて、吸上げ装置として利用することもできる。
【００５６】
図２８によれば、吐出プレート１４０はまた、集合空洞１４４により、噴出水のボトル１１８への吸収を制限する役割を果たす２つの形態を持つことが分かる。第１は、吐出プレート１４０は集合空洞１４４を囲む少なくとも１つの隔壁１５４を含む。これらの隔壁１５４は集合空洞の側面および背面から水が集合空洞１４４に入るのを防ぐ。第２は、吐出プレート１４０は吐出プレート１４０を貫通して延びる１対の排水コンジット１５２を含む。排水コンジット１５２の機能は隔壁１５４近くの吐出プレート１４０領域から水を排出する。さらに、ノッチまたは開口１８８が、供給コンジット１３１の底面または下壁面１８６の下の立上がり１８７に設けられ、毛細管１４８を経由する、ベース１２４の表面１４２全体の吐出穴１３８からの液の流れを改良している。底壁の立上がりの前面および側面の部分を選択的に除外すること、すなわちノッチまたは開口を設けることは、ボトルの換気およびディスペンサからの余剰水の排出を促進することが判明している。
【００５７】
図２４に戻ると、図は、ベース１２４の別の構造に対する吐出プレート１４０の最良位置を示す。吐出プレート１４０は、別個の工程またはベース成形の一部のどちらかで取付けられ、それにより吐出プレートの集合空洞１４４はインサート１９３の供給コンジット１３１に液連通する。図２４に示す実施形態では、貫通支柱１２７の底面の吐出穴１３８が、供給コンジット１３１と集合空洞との間に流路を提供する。この構成の結果として、液はボトル１１８から出て、ベース１２４の供給コンジット１３１に入り、吐出穴１３８を通過して吐出プレート１４０の集合空洞１４４に流れ込む。次に液は集合空洞１４４から吐出プレート１４０の上面１４２の毛細管１４８に流れ込む。その後液は毛細管１４８の外側端１５０方向に移動し続け、そこで液は噴射水と共に便器に吐出される、これに付いては本明細書で以下に述べる。
【００５８】
吐出プレート１４０はまた、吐出プレート１４０から上方に延び吐出穴１３８および供給コンジット１３１内に入る垂直支柱１８１を含むことができる。この垂直支柱は、吐出される液の表面張力を破壊させ、そこからの流れ特性を改良する目的を持つ。図２４および２５に示すように、表面張力破壊支柱１８１は好まくは、しかし必須ではなく、吐出穴１３８に中心にあり、下壁面１８６の表面より上に短い寸法で突出してもよい。
【００５９】
種々の手段を使用して、液を吐出プレートの集合空洞１４４から毛細管を通して毛細管の外側端１５０まで移送できる。第１に、液の毛細管１４８の側面への粘着性により発生する毛管現象は、液を毛細管の外側端方向に移送するように作用する。さらに、毛細管１４８の深さを集合空洞１４４の深さに比べて大きくできる。これは、液を集合空洞１４４から毛細管の外側端方向に移送するのに役立つ。好ましくは、吐出プレート１４０を水平位置から、約１０°〜３０°の角度で下方に傾斜させ、集合空洞１４４を毛細管の外側端１５０より高くする。
【００６０】
当然、集合空洞１４４から、毛細管内へのおよびそれを通過して毛細管の外側領域１５０に流れる液流を制御するこれらの方法の各々は、単独、または他の方法と結合させて使用できる。
【００６１】
前述の、液をボトル１１８から吐出プレート１４０の上面１４２の位置まで移送する手段は、液吐出装置１１０の使用を図３０および３１を引用しても説明できる。図３０は、開放型リムを持つ便器１１６Ｂに連結して使用するときの、液吐出装置１１０の構成を示す。リムから吊り下げられた液吐出装置１１０において、噴出水Ｗの流れが各噴出により吐出プレート１４０に接触し、吐出プレート１４０上面１４２から便器内に液が移動することが分かる。同様に、図３１は、ボックス型リムを持つ便器１１６Ａに連結して使用される液吐出装置１１０の構成を示す。便器１１６Ａのリムから吊り下げられた液吐出装置１１０において、噴出水Ｗの流れがまた各噴出により吐出プレート１４０に接触することが分かる。噴出水が吐出プレート１４０に接触するとき、噴出水は吐出プレート１４０の上面１４２の毛細管１４８内に存在する液と混合し、その後便器内に配給される。噴出水が液を吐出プレート１４０の吐出位置から便器水中に洗い流した後、前述のように、液の新たな供給がボトル１１８から毛細管１４８に配給される。液が吐出プレート上に吐出されるときに、空気がボトル１１８内を通気できるようにするために、図２８に示すように、吐出プレート１４０の上面１４２に、プレートの背面１４３を通るように換気スロット１４６が設けられている。この換気スロット１４６は集合空洞１４４と外気との間に流路を提供し、周囲空気がボトル１１８に入り、そこから吐出される液と置換する。
【００６２】
本発明による液ディスペンサ１０および１１０で実施される毛細吐出管の使用は、噴射水に対し線形の、一定液量を供給にする。液ディスペンサの１つの実施形態は、平均使用において、約１か月で終了するように設計され、最初から最後まで、各噴射で一定の発泡・洗浄・消毒・芳香特性を提供する。吐出プレート上の毛細管に使用は、開示したように、噴射間の芳香の安定レベルでの吐出において極めて重要である。この理由は、毛細管の表面領域が、各噴射後適正な芳香を周囲に吐出することを保証するためである。
【００６３】
当業者には、本発明は好ましい実施形態以外の方法により実施な可能なことは認識されるところである。好ましい実施形態は説示の目的で示したものであり、これに限定されるものではない。例えば、液吐出装置を使用して、便器のリム以外の場所（例えばバスタブ）で液を吐出できる。したがって、添付の特許請求の範囲は、本明細書に含まれる好ましい実施形態の記述に限定されるものではない。
【００６４】
（産業利用性）
本発明を使用してリザーバまたはボトルから液を吐出できる。詳細には、本発明を使用して、便器のリムから洗浄液および／または清浄液量を吐出できる。
【図面の簡単な説明】
【図１】  本発明による液吐出装置の斜視図である。
【図２】  本発明による液吐出装置の正面図である。
【図３】  本発明による液吐出装置の右側面図であり、左側面は右側の鏡像である。
【図４】  本発明による液吐出装置の底面図である。
【図５】  本発明による液吐出装置の背面図である。
【図６】  本発明による液吐出装置の平面図である。
【図７】  液吐出装置のコンポーネントを示す組立分解図である。
【図８】  図２の線８−８に沿って切断された断面図である。
【図９】  ベース上にボトルを設置する前の、液吐出装置のボトルとベースとの部分断面図である。
【図１０Ａ】  液吐出装置の吐出プレートの第１実施形態の断面図である。
【図１０Ｂ】  液吐出装置の吐出プレートの第２実施形態の断面図である。
【図１０Ｃ】  液吐出装置の吐出プレートの第３実施形態の断面図である。
【図１１Ａ】  図８の線１１Ａ−１１Ａに沿って切断された吐出プレートの平面図である。
【図１１Ｂ】  別の吐出プレートの平面図である。
【図１１Ｃ】  さらに別の吐出プレートの平面図である。
【図１１Ｄ】  さらに別の吐出プレートの実施形態の平面図である。
【図１１Ｅ】  吐出プレートの別の変形形態である。
【図１２】  本発明による液吐出装置の概略断面図であり、開放型リム・タイプの便器上に設置されている状態を示す。
【図１３】  本発明による液吐出装置の概略断面図であり、ボックス型リム・タイプの便器上に設置されている状態を示す。
【図１４】  本発明による液吐出装置の拡大部分断面側面図であり、便器上に設置されている状態を示す。
【図１５】  本発明による液吐出装置の拡大断面面であり、別の実施形態を示す。
【図１５Ａ】線１５Ａ−１５Ａに沿って切断された断面図である。
【図１６】  別の実施形態の断面図である。
【図１７】  本発明による液吐出装置の斜視図であり、さらに別の実施形態を示す。
【図１８】  図１７の液吐出装置の正面図である。
【図１９】  図１７の液吐出装置の右側面図であり、左側面は右側の鏡像である。
【図２０】  図１７の液吐出装置の底面図である。
【図２１】  図１７の液吐出装置の背面図である。
【図２２】  図１７の液吐出装置の平面図である。
【図２３】  図１７の液吐出装置のコンポーネントを示す組立分解図である。
【図２４】  図１８の線２４−２４に沿って切断された断面図である。
【図２５】  ベース上にボトルを設置する前の、図１７の液吐出装置のボトルとベースとの部分断面図である。
【図２６】  図２７の線２６−２６に沿って切断された断面図である。
【図２７】  図２５の線２７−２７に沿って切断された、図１７の液吐出装置のベースの平面図である。
【図２７Ａ】  図２５の線２７−２７に沿って切断された、図１７の液吐出装置のベースの別の実施形態の平面図である。
【図２８】  図２４の線２８−２８に沿って切断された吐出プレートの平面図である。
【図２９ａ】  図２８の線２９ａ−２９ａに沿って切断された毛細管の断面図である。
【図２９ｂ】  図２８の線２９ａ−２９ａに沿って切断された別の毛細管の断面図である。
【図２９ｃ】  図２８の線２９ａ−２９ａに沿って切断されたさらに別の毛細管の断面図である。
【図２９ｄ】  図２８の線２９ａ−２９ａに沿って切断されたさらに別の毛細管の断面図である。
【図２９ｅ】  図２８の線２９ａ−２９ａに沿って切断されたさらに別の毛細管の断面図である。
【図２９ｆ】  図２８の線２９ａ−２９ａに沿って切断されたさらに別の毛細管の断面図である。
【図３０】  本発明による液吐出装置の概略断面図であり、開放型リム・タイプの便器上に設置されている状態を示す。
【図３１】  本発明による液吐出装置の概略断面図であり、ボックス型リム・タイプの便器上に設置されている状態を示す。
【図１】
0004145046.tif 000002
【図２】
0004145046.tif 000003
【図３】
0004145046.tif 000004
【図４】
0004145046.tif 000005
【図５】
0004145046.tif 000006
【図６】
0004145046.tif 000007
【図７】
0004145046.tif 000008
【図８】
0004145046.tif 000009
【図９】
0004145046.tif 000010
【図１０ａ】
0004145046.tif 000011
【図１０ｂ】
0004145046.tif 000012
【図１０ｃ】
0004145046.tif 000013
【図１１Ａ】
0004145046.tif 000014
【図１１Ｂ】
0004145046.tif 000015
【図１１Ｃ】
0004145046.tif 000016
【図１１Ｄ】
0004145046.tif 000017
【図１１Ｅ】
0004145046.tif 000018
【図１２】
0004145046.tif 000019
【図１３】
0004145046.tif 000020
【図１４】
0004145046.tif 000021
【図１５】
0004145046.tif 000022
【図１５Ａ】
0004145046.tif 000023
【図１６】
0004145046.tif 000024
【図１７】
0004145046.tif 000025
【図１８】
0004145046.tif 000026
【図１９】
0004145046.tif 000027
【図２０】
0004145046.tif 000028
【図２１】
0004145046.tif 000029
【図２２】
0004145046.tif 000030
【図２３】
0004145046.tif 000031
【図２４】
0004145046.tif 000032
【図２５】
0004145046.tif 000033
【図２６】
0004145046.tif 000034
【図２７】
0004145046.tif 000035
【図２７Ａ】
0004145046.tif 000036
【図２８】
0004145046.tif 000037
【図２９ａ】
0004145046.tif 000038
【図２９ｂ】
0004145046.tif 000039
【図２９ｃ】
0004145046.tif 000040
【図２９ｄ】
0004145046.tif 000041
【図２９ｅ】
0004145046.tif 000042
【図２９ｆ】
0004145046.tif 000043
【図３０】
0004145046.tif 000044
【図３１】
0004145046.tif 000045